(57)【特許請求の範囲】
【請求項１】
ベッドフレームと、
このベッドフレームの長手方向一端部側に設けられた背フレーム及び他端部側に設けられた脚フレームと、
上記ベッドフレームの長手方向一端部に軸線を幅方向に沿わせて回転可能に設けられた背上げ軸と、
この背上げ軸に一端部が固定され他端部に上記背フレームの下面に当たる背上げローラが設けられた背上げアームと、
一端が上記背フレームの上記脚フレーム側に位置する一端に枢着され他端が上記ベッドフレームの一端部に枢着された第１のリンクと、
この第１のリンクの中途部に一端が枢着された第２のリンクと、
上記背上げ軸に一端が固定され他端が上記第２のリンクの他端に枢着された第３のリンクと、
上記背上げ軸に一端が固定された第４のリンクと、
この第４のリンクの他端に一端が連結された駆動部材と、
この駆動部材を進退駆動して上記背上げ軸とともに上記背上げアームを回転させ上記背フレームを起伏駆動する背上げ用駆動源とを具備し、
上記背上げ用駆動源を作動させて上記駆動部材を前進方向に駆動して上記背フレームを起上させる背上げ時に、上記背フレームは、上記第１のリンクが枢着された一端部がこの第１のリンクによってほぼ垂直方向上方に変位させられ、他端部が上記背上げアームによって起上方向に回動させられることを特徴とする背上げ式ベッド装置。
【請求項２】
上記背フレームの下面には、上記ベッドフレームの長手方向に沿ってガイドレールが設けられ、上記背上げローラは上記ガイドレールに転動可能に係合していることを特徴とする請求項１記載の背上げ式ベッド装置。
【請求項３】
上記脚フレームは、一端が上記ベッドフレームに枢着された第１の脚フレームと、この第１の脚フレームの他端に一端が枢着された第２の脚フレームとに分割されていて、上記第１の脚フレームが脚上げ駆動機構によって起伏駆動されることを特徴とする請求項１記載の背上げ式ベッド装置。
【請求項４】
上記ベッドフレームは、ベースフレームに上下用リンク機構によって上下方向に変位可能に設けられ、この上下用リンク機構は上下用駆動源によって駆動されることを特徴とする請求項１記載の背上げ式ベッド装置。
【発明の詳細な説明】
【技術分野】
【０００１】
この発明は利用者の上半身を起こすことのできる背上げ式ベッド装置に関する。
【背景技術】
【０００２】
たとえば、病人用のベッド装置においては、体力が低下した利用者が食事をする場合などに上半身を起こすのを支援するために、いわゆる背上げ式ベッド装置が用いられる。背上げ式ベッド装置はベッドフレームを有し、このベッドフレームには複数に分割された床フレームが設けられ、これらの床フレーム上にはマットレスが載置される。
【０００３】
複数の床フレームのうち、利用者の上半身に対応する背フレームは上記ベッドフレームに起伏可能に設けられている。この背フレームは駆動機構によって起伏駆動されるようになっている。したがって、上記背上げフレームを起上方向に駆動すれば、マットレス上に仰臥した利用者の上半身を起こすことができる。
【０００４】
利用者の上半身を起こすために、上記背フレームを駆動機構によって起上方向に駆動すると、この背フレームはベッドフレームに枢着された一端を支点として他端が上昇する方向に回動することになる。
【０００５】
背フレームを起上させると、床フレーム上に載置されたマットレスは利用者の背面を押圧しながら屈曲される。マットレスは所定の厚さを有するため、背フレームの上昇にともなって屈曲すると、屈曲の内側となる上面には長手方向内方に沿う圧縮力が発生し、外側となる下面には引張り力が発生する。そのため、利用者は背面に圧縮力を受けることになるから、その圧縮力によって腹部が圧迫されることになる。
【０００６】
利用者に体力があって、自力で背面をマットレスの上面から浮かし、その背面に作用する圧縮力を除去できる場合には腹部に受けた圧迫を取り除くことができる。しかしながら、利用者の体力が低下していて、自力で身体を動かすことのできない場合には、背面に圧縮力を受け続け、苦痛を感じることになる。
【０００７】
そこで、背フレームを起上方向に回動させる際、この背フレームをベッドフレーム上で後方へスライドさせるようにしたベッド装置が開発されている。背フレームを上昇させる際に、後方へスライドさせれば、背フレームによって屈曲されるマットレスの屈曲の度合が小さくなるから、利用者の背面に作用する圧縮力も小さくすることが可能となる。このようなベッド装置は特許文献１に示されている。
【特許文献１】特許第３０１２７８１号公報
【発明の開示】
【発明が解決しようとする課題】
【０００８】
しかしながら、背フレームを起上方向に回動させるときに、後方へスライドさせるようにすると、この背フレームの下端部によって支持された利用者の腰部が後方へ移動し、臀部に対して屈曲し易くなるということがある。つまり、臀部から背部にかけての脊柱が真直ぐに伸びた状態から屈曲した状態になってしまう。
【０００９】
そのため、背フレームによって上半身を起こされた利用者は、腰部が後方へ突き出ることで、背筋が伸びた姿勢を維持することができないため、腰部に掛かる負担が大きくなるということがある。
【００１０】
この発明は、背フレームを起上させたときに、利用者の背面を圧迫しないようにするとともに、腰部が後方へ突き出て背筋が曲がることがないようにした背上げ式ベッド装置を提供することにある。
【課題を解決するための手段】
【００１１】
この発明は、ベッドフレームと、
このベッドフレームの長手方向一端部側に設けられた背フレーム及び他端部側に設けられた脚フレームと、
上記ベッドフレームの長手方向一端部に軸線を幅方向に沿わせて回転可能に設けられた背上げ軸と、
この背上げ軸に一端部が固定され他端部に上記背フレームの下面に当たる背上げローラが設けられた背上げアームと、
一端が上記背フレームの上記脚フレーム側に位置する一端に枢着され他端が上記ベッドフレームの一端部に枢着された第１のリンクと、
この第１のリンクの中途部に一端が枢着された第２のリンクと、
上記背上げ軸に一端が固定され他端が上記第２のリンクの他端に枢着された第３のリンクと、
上記背上げ軸に一端が固定された第４のリンクと、
この第４のリンクの他端に一端が連結された駆動部材と、
この駆動部材を進退駆動して上記背上げ軸とともに上記背上げアームを回転させ上記背フレームを起伏駆動する背上げ用駆動源とを具備し、
上記背上げ用駆動源を作動させて上記駆動部材を前進方向に駆動して上記背フレームを起上させる背上げ時に、上記背フレームは、上記第１のリンクが枢着された一端部がこの第１のリンクによってほぼ垂直方向上方に変位させられ、他端部が上記背上げアームによって起上方向に回動させられることを特徴とする背上げ式ベッド装置にある。
【００１２】
上記背フレームの下面には、上記ベッドフレームの長手方向に沿ってガイドレールが設けられ、上記背上げローラは上記ガイドレールに転動可能に係合していることが好ましい。
【００１３】
上記脚フレームは、一端が上記ベッドフレームに枢着された第１の脚フレームと、この第１の脚フレームの他端に一端が枢着された第２の脚フレームとに分割されていて、上記第１の脚フレームが脚上げ駆動機構によって起伏駆動されることが好ましい。
【００１４】
上記ベッドフレームは、ベースフレームに上下用リンク機構によって上下方向に変位可能に設けられ、この上下用リンク機構は上下用駆動源によって駆動されることが好ましい。
【発明の効果】
【００１５】
この発明によれば、床フレームは脚フレーム側に位置する一方の端部がほぼ垂直方向上方へ変位しながら他方の端部が起上方向に回動する。そのため、床フレームが上方へ変位することによって利用者の背面に圧縮力が作用するのを防止するばかりか、脚フレーム側に位置する端部が後方へスライドすることがないため、利用者の腰部を屈曲させることなく確実に支持し、上半身が起こされた利用者の脊柱が曲がるのを防止する。
【発明を実施するための最良の形態】
【００１６】
以下、この発明の一実施の形態を図面を参照して説明する。  
図１はこの発明の起床式ベッド装置の一部省略した正面図であって、この起床式ベッド装置はベースフレーム１を備えている。このベースフレーム１の四隅部にはストッパ付きのキャスタ２が設けられている。
【００１７】
上記ベースフレーム１の上面の長手方向一端部と他端部にはそれぞれ一対の支柱部材３（１つのみ図示）が立設されている。各支柱部材３の上端には上下用アーム４の一端が支軸５によって枢着されている。ベースフレーム１の幅方向一端側と他端側に位置するそれぞれ一対の上下用アーム４の中途部は連結軸６によって連結されている。各上下用アーム４の他端はベッドフレーム８の長手方向一端部と他端部との両側から垂設された連結片９の下端に支軸１１によって枢着されている。
【００１８】
図１と図３に示すように、ベースフレーム１の長手方向一端側と他端側に位置する一対の連結軸６の中途部にはそれぞれ連動アーム１２の一端が固着されている。各連動アーム１２の他端には取り付け部材１３が枢着され、一対の取り付け部材１３には連動部材１４の一端と他端が固定されている。
【００１９】
上記連動部材１４の一端には上下用駆動源１５によって進退駆動される駆動軸１６の先端が連結されている。したがって、上記駆動軸１６が進退駆動されれば、上記上下用アーム４が支柱部材３に枢着された一端を支点として回動するから、その回動によってベッドフレーム８が上下方向に駆動されることになる。つまり、ベッドフレーム８の高さを変えることができるようになっている。
【００２０】
上記ベッドフレーム８は長手方向一端にヘッドボード１８、他端にフットボード１９が立設されていて、上面には長手方向一端側に背フレーム２１が設けられ、他端側に第１の脚フレーム２２と第２の脚フレーム２３とが設けられている。各フレーム２１〜２３には合成樹脂製の床板２５が着脱可能に装着される。なお、第２の脚フレーム２３の床板２５は２つに分割されている。
【００２１】
図２はベッドフレーム８の平面図を示し、このベッドフレーム８の長手方向中途部には横部材２６が両端部を固定して設けられている。この横部材２６の長手方向の両端部にはブラケット２７が設けられ、一対のブラケット２７には上記第１の脚フレーム２２の一端が支軸２８によって枢着されている。この第１の脚部フレーム２２の他端には上記第２の脚部フレーム２３の一端が支軸２９（図１に示す）によって枢着されている。
【００２２】
第２の脚フレーム２２の他端部の幅方向両端にはそれぞれ保持リンク３１の一端が枢着されている。この保持リンク３１の他端は上記ベッドフレーム８の長手方向中途部の両側内面に枢着されている。
【００２３】
上記第１、第２の脚フレーム２２，２３は脚上げ駆動機構３２によって起伏駆動されるようになっている。この脚上げ駆動機構３２は上記ベッドフレーム８の長手方向中途部に幅方向に沿って回転可能に設けられた脚上げ軸３３を有する。この脚上げ軸３３の両端部には脚上げアーム３４の一端が固着されている。
【００２４】
各脚上げアーム３４の他端には脚上げローラ３５が設けられている。一対の脚上げローラ３５は、上記第１の脚フレーム２２の幅方向両端部の下面に幅方向と直交する方向に沿って設けられた当接板３６に転接するようになっている。
【００２５】
上記脚上げ軸３３の中途部にはリンク３７の一端が固着されている。このリンク３７の他端には連動部材３９の先端が枢着されている。この連動部材３９の基端は、上記ベッドフレーム８の上記フットボード１９側の下面に設けられた脚上げ用駆動源４１によって進退駆動される駆動軸４２に枢着されている。
【００２６】
上記脚上げ用駆動源４１が作動して上記駆動軸４２が後退方向に駆動されると、この駆動軸４２に上記連動部材３９が連動し、上記脚上げ軸３３がリンク３７を介して図１に矢印で示す反時計方向に回転する。
【００２７】
それによって、脚上げアーム３４が起立方向に回動し、その先端に設けられた脚上げローラ３５が第１の脚フレーム２２を押し上げるから、この第１の脚フレーム２２はベッドフレーム８の横部材２６に枢着された一端を支点として他端が上昇する方向に回動する。
【００２８】
第１の脚フレーム２２が上昇すると、その上昇に第２の脚フレーム２３が連動する。このとき、第２の脚フレーム２３の上昇に連動して保持リンク３１が回動するから、この保持リンク３１によって第２の脚フレーム２３は上昇した状態で水平に保持される。
【００２９】
なお、上記第１の脚フレーム２２は脚上げアーム３４によって図１と図４に示す水平に倒伏した状態から、図６に鎖線で示す４５度の傾斜角度まで上昇させることができるようになっていて、その傾斜角度は脚上げ用駆動源４１による駆動軸４２の駆動量を制御することで、４５度以下に設定できるようになっている。
【００３０】
上記背フレーム２１は一対の第１のリンク４４によって上記ベッドフレーム８に連結されている。すなわち、第１のリンク４４は、一端が上記ベッドフレーム８のヘッドボード１８側の一端部に設けられたブラケット４５に枢着されている。この第１のリンク４４の他端は、上記背フレーム２１の第１の脚フレーム２２側に位置する一端部に枢着されている。
【００３１】
一対の第１のリンク４４の中途部は連結軸４６によって連結されている。この連結軸４６の中途部には第２のリンク４７の一端が枢着されている。この第２のリンク４７の他端は第３のリンク４８の一端に枢着されている。この第３のリンク４８は背上げ軸４９の中途部に固着されている。この背上げ軸４９は軸線を上記ベッドフレーム８の幅方向に沿わせてこのベッドフレーム８の長手方向の中途部に回転可能に架設されている。
【００３２】
上記背上げ軸４９の軸方向中途部には一対の第４のリンク５１の一端が所定間隔で固着されている。この第４のリンク５１には駆動部材５２の一端が枢着されている。この駆動部材５２の他端は背上げ用駆動源５３によって進退駆動される駆動軸５４に枢着されている。上記背上げ用駆動源５３は上記ベッドフレーム８のフットボード１９側の下面に設けられている。
【００３３】
上記背上げ軸４９の軸方向両端部には背上げアーム５５の一端が固着されている。この背上げアーム５５の他端には背上げローラ５６が回転可能に設けられている。一対の背上げアーム５５に設けられた背上げローラ５６は、上記背フレーム２１の幅方向両端部下面にその幅方向と直交するベッドフレーム８の長手方向に沿って設けられた断面コ字状のガイドレール５７に転動可能に係合している。
【００３４】
したがって、上記背上げ用駆動源５３が作動して駆動軸５４が前進方向に駆動されると、この駆動軸５４に連動する駆動部材５２によって第４のリンク５１を介して背上げ軸４９が図４に矢印で示す時計方向に回動する。
【００３５】
背上げ軸４９が時計方向に回動すると、図４と図５に示すようにその回動に背上げアーム５５と第２のリンク４７が連動する。背上げ軸４９の回動に連動する背上げアーム５５は、背上げローラ５６が設けられた先端部が上昇する方向に回動する。それによって、上記背上げローラ５６は背フレーム２１を第１のリンク４４に連結された一端部を支点として他端部が上昇する方向に回動させる。
【００３６】
背上げ軸４９の回転に連動する第２のリンク４７は、第１のリンク４４を背フレーム２１に連結された他端が上昇する方向に回動させる。それによって、背フレーム２１は第１のリンク４４に連結された一端部を支点として起立方向に回動しながら、第１のリンク４４の回動によって上昇方向に変位する。つまり、背フレーム２１は起上方向に回動しながら、上昇方向に変位する。
【００３７】
上記背フレーム２１及び第１、第２の脚フレーム２２，２３の上面には図１と図４乃至図６に鎖線で示すマットレス６１が載置されている。このマットレス６１は折り曲げ可能な構造となっている。それによって、上記背フレーム２１を起上させたり、第１、第２の脚フレーム２２，２３を起上させると、それらの起上に応じて屈曲されるようになっている。
【００３８】
つぎに、上記構成のベッド装置の動作を図４と図５を参照しながら説明する。図１に示すように水平に倒伏した状態にある背フレーム２１を起上させるには、背上げ用駆動源５３を作動させて背上げ軸４９を時計方向に回転させる。
【００３９】
背上げ軸４９を回転させると、図４に示すように背上げ軸４９の回転に連動する背上げアーム５５によって背フレーム２１が第１のリンク４４に連結された一端部を支点として他端部が上昇する方向に起上する。
【００４０】
それと同時に、第２のリンク４７によって第１のリンク４４がベッドフレーム８に連結された一端を支点として背フレーム２１に連結された他端が図４に矢印で示す上昇方向（反時計方向）に回動させられる。
【００４１】
それによって、背フレーム２１は第１のリンク４４によって第１の脚フレーム２２側に位置する端部が上方へ変位させられながら、背上げアーム５５によってヘッドボード１８側に位置する端部が上昇する方向に回動する。図４は背フレーム２１が起上しながら上昇し始めた状態を示し、図５は起上及び上昇が終了した状態を示す。
【００４２】
図５に示すように背フレーム２１を起上させれば、マットレス６１上に仰臥した利用者は上半身が起上する背フレーム２１によって起こされるとともに、この背フレーム２１は起上しながら上方へ変位するため、屈曲するマットレス６１の上面に発生する圧縮力が利用者の背面に作用するのが除去される。
【００４３】
つまり、背フレーム２１の起上方向への回動によってマットレス６１の上面に圧縮力が生じる。しかしながら、上記背フレーム２１は起上すると同時に上昇するため、その上昇によってマットレス６１を上方へ引き伸ばす。そのため、マットレス６１の上面に生じた圧縮力は上記背フレーム２１の上昇によって除去されることになる。
【００４４】
上記背フレーム２１は第１の脚フレーム２２側に位置する端部である、起上時の下端となる端部が第１のリンク４４に連結されている。そのため、背フレーム２１は起上時に下端部が前後方向に移動することなく、ほぼ垂直方向上方へ変位する。
【００４５】
したがって、利用者の上半身を起こすために背フレーム２１を起上させても、この背フレーム２１の下端部による利用者の腰部の支持位置が後方や前方へずれることがない。言い換えれば、背フレーム２１を起上させても、この背フレーム２１による利用者の腰部の支持位置が前後方向にずれることがないから、上半身が起こされた利用者の腰部が後方にずれたり、前方へ屈曲するのを防止することができる。それによって、利用者は背筋が伸びた姿勢で上半身が起こされることになるから、利用者の腰部に負担が掛かるのが防止される。
【００４６】
背フレーム２１を起上させるときに、脚上げ用駆動源４１を作動させて第１の脚フレーム２２を、たとえば３０度の傾斜角度まで上昇させれば、マットレス６１上の利用者の脚部が持ち上げられるから、臀部が前方にずれ動くのを防止することができる。図５は第１の脚フレーム２２が４５度の角度で起上させられた状態を示しているが、使用上は３０度程度の角度で起上させれば、利用者の臀部が前方へずれるのを防止することができる。
【００４７】
この発明は上記一実施の形態に限定されず、たとえばベッド装置としてベッドフレームが上下方向に駆動される例を挙げたが、上下方向に駆動されない構造であってもよい。
【００４８】
また、第１、第２の脚上げフレームが起上方向に駆動される構造で説明したが、背上げフレームだけが起上可能な構造であって、他のフレームは起上されない構造であってもよい。
【図面の簡単な説明】
【００４９】
【図１】この発明の一実施の形態を示す起床式ベッド装置の正面図。
【図２】ベッドフレームの平面図。
【図３】ベッドフレームを上下駆動する上下用アームと上下用駆動源とを示す説明図。
【図４】背上げフレームを上昇させた状態を示す説明図。
【図５】背上げフレームを図４に示す状態からさらに上昇させた状態を示す説明図。
【符号の説明】
【００５０】
１…ベースフレーム、８…ベッドフレーム、２１…背フレーム、２２…第１の脚フレーム、２３…第２の脚フレーム、３４…脚上げアーム、４１…脚上げ用駆動源、４４…第１のリンク、４７…第２のリンク、４８…第３のリンク、４９…背上げ軸、５１…第４のリンク、５３…背上げ用駆動源、５５…背上げアーム、５６…背上げローラ、５７…ガイドレール、６１…マットレス。
【図１】
0004718277.tif 000002
【図２】
0004718277.tif 000003
【図３】
0004718277.tif 000004
【図４】
0004718277.tif 000005
【図５】
0004718277.tif 000006